(57)【要約】【課題】フェンスの直線部分、あるいは棒状体に装着が容易で、しかも装着後の脱着が困難であり、フェンスに複数装着することにより注意喚起や宣伝広告を表示することや衝突時の衝撃緩和が可能なハーフ・ロッドを提供することを目的とする。【解決手段】フェンスを構成する部材の直線部分に２個を対向配置して装着し、そのフェンスに文字、図形、若しくは記号を表示するハーフ・ロッドであって、所定長さの中空のロッドを長手方向に分割して形成された矩形断面の対称な位置に、係止爪と係止穴とからなる係合部を少なくとも２つ備え、直線部分に順向き又は逆向きに対向配置した矩形断面相互の係止爪と係止穴とを係合させて直線部分に装着する。【選択図】図１
0003152846.tif 000002
【実用新案登録請求の範囲】
【請求項１】
フェンスを構成する部材の直線部分に２個を対向配置して装着し、該フェンスに文字、図形、若しくは記号を表示するハーフ・ロッドであって、
所定長さの中空のロッドを長手方向に分割して形成された矩形断面の対称な位置に、係止爪と係止穴とからなる係合部を少なくとも２つ備え、前記直線部分に順向き又は逆向きに対向配置した該矩形断面相互の該係止爪と該係止穴とを係合させて該直線部分に装着することを特徴とするハーフ・ロッド。
【請求項２】
前記矩形断面の長辺における辺縁の上下対称位置又は左右対称位置に、前記係合部を備えたことを特徴とする請求項１記載のハーフ・ロッド。
【請求項３】
切欠部を有する底面及び上面を備え、該底面及び上面の該切欠部に前記直線部分を嵌合させて前記矩形断面相互の前記係止爪と前記係止穴とを係合させることを特徴とする請求項１又は２記載のハーフ・ロッド。
【請求項４】
畜光顔料又は着色顔料を含有する合成樹脂により形成されたことを特徴とする請求項１から３のうち何れか１記載のハーフ・ロッド。
【請求項５】
前記底面及び上面は、何れも半円形をなし、円の中心に前記切欠部が設けられたものであって、該切欠部から放射状に形成された切れ目を有することを特徴とする請求項３又は４記載のハーフ・ロッド。
【請求項６】
底面及び上面を有する所定長さの中空のロッドを長手方向に分割して形成された矩形断面の長へんにおける辺縁の上下対称位置又は左右対称位置に、係止爪と係止穴とからなる係合部を少なくとも２つ備えたことを特徴とするハーフ・ロッド。
【請求項７】
前記底面及び上面は、何れも切欠部を備え、所定の棒状体に順向き又は逆向きに対向配置した前記矩形断面それぞれの該切欠部を該棒状体に嵌合させるとともに、該矩形断面相互の該係止爪と該係止穴とを係合させることを特徴とする請求項６記載のハーフ・ロッド。
【請求項８】
畜光顔料又は着色顔料を含有する合成樹脂により形成されたことを特徴とする請求項６又は７記載のハーフ・ロッド。
【請求項９】
前記底面と上面は、何れも半円形をなし、円の中心に前記切欠部が設けられたものであって、該切欠部から放射状に形成された切れ目を有することを特徴とする請求項７記載のハーフ・ロッド。
【考案の詳細な説明】
【技術分野】
【０００１】
本考案は、フェンスの直線部分や棒状体に装着することにより、注意喚起や広告宣伝のための文字、図形若しくは記号又はそれらと色彩との組み合わせを表示するハーフ・ロッドに関するものである。
【背景技術】
【０００２】
駐車場に設けられたフェンスは、駐車の際に車両が接触して破損する事故が生じやすいので、注意喚起して事故防止を図る必要がある。そこで、マーカのついたスプリング部材をフェンスに設置し、そのスプリング部材に車両が当接したときにそのマーカが動き、フェンスへの衝突を警告する駐車場用フェンスが提案されている（特許文献１参照）。
また、保安施設や公共施設などの周囲に設置されているフェンスは、通常無模様一色であり見る者に疎外感や隔離感を与え勝ちである。そこで、フェンスを、図柄や文字などの模様が描かれた模様表示部と模様が描かれていない無表示部とに分割する一方、着脱可能にし、模様表示部の棒状部材の間隔を無表示部の棒状部材の間隔よりも密にすることにより連続的に摸様が描かれていると認識できるようにしたフェンスが提案されている（特許文献２参照）。さらに、側面に開口部を有する色つきのステックであって、フェンスを構成する縦桟や横桟又はガードレールの支柱に直接嵌め込んで模様などを表現する、フェンスなどに取り付け可能なステックが提案されている（特許文献３参照）。
【先行技術文献】
【特許文献】
【０００３】
【特許文献１】特開２００３−３１４０７７号公報
【特許文献２】実用新案登録第２５０２７００号公報
【特許文献３】特開２００１−１０９３８６号公報
【考案の概要】
【考案が解決しようとする課題】
【０００４】
しかしながら、特許文献１記載の駐車場用フェンスは、車両衝突防止用に限定される上、スプリング部材を支持する支持具を設置する必要があるので、設置位置が限定される。また、特許文献２記載の方法は、既設のフェンスに設置するのは容易ではない。さらに、特許文献３記載のステックは、フェンスの縦桟又は横桟を利用して簡便に装着できるが、嵌挿部をフェンスの桟に嵌めこむので、装着が容易である反面、脱着も容易であることから、子供にいたずらされる恐れがある。
本考案は、上記事情に鑑み、フェンスの直線部分、あるいは棒状体に装着が容易で、しかも装着後の脱着が困難であり、フェンスに複数装着することにより注意喚起や宣伝広告を表示することや衝突時の衝撃緩和が可能なハーフ・ロッドを提供することを目的とする。
【課題を解決するための手段】
【０００５】
本考案のハーフ・ロッドは、フェンスを構成する部材の直線部分に２個を対向配置して装着し、該フェンスに文字、図形、若しくは記号を表示するハーフ・ロッドであって、所定長さの中空のロッドを長手方向に分割して形成された矩形断面の対称な位置に、係止爪と係止穴とからなる係合部を少なくとも２つ備え、上記直線部分に順向き又は逆向きに対向配置した該矩形断面相互の該係止爪と該係止穴とを係合させて該直線部分に装着することを特徴とする。
このように、ロッドを長手方向に分割した矩形断面の対称な位置に、係止爪と係止穴とからなる係合部を少なくとも２つ備えているので、２個の矩形断面をフェンスの直線部分に逆向き又は同じ向きに対向配置して、係合部相互とを係合させることによりその直線部分に容易に取り付けることができる。
また、上記矩形断面の長辺における辺縁の上下対称位置又は左右対称位置に、上記係合部を備えれば、２個を対向配置して、係合部相互とを係合させることができる。
さらに、切欠部を有する底面及び上面を備え、該底面及び上面の該切欠部に上記直線部分を嵌合させて上記矩形断面相互の上記係止爪と上記係止穴とを係合させることにすれば、その直線部分に固定することもできる。
また、畜光顔料又は着色顔料を含有する合成樹脂により形成されていれば、表示する文字、図形、若しくは記号を昼間、又は夜間に目立たせることができる。
さらに、上記底面及び上面は、何れも半円形をなし、円の中心に上記切欠部が設けられたものであって、該切欠部から放射状に形成された切れ目を有することにすれば、車両などがフェンスに当たった場合の衝撃を緩和することができる。
本考案のハーフ・ロッドは、底面及び上面を有する所定長さの中空のロッドを長手方向に分割して形成された矩形断面の長辺における辺縁の上下対称位置又は左右対称位置に、係止爪と係止穴とからなる係合部を少なくとも２つ備えたことを特徴とする。
このように矩形断面の対称な位置に、係止爪と係止穴との対を２つ設けてあるので、矩形断面相互を順向き又は逆向きに対向配置して、相互の係止爪と係止穴とにより係合させ、中空ロッドを形成することができる。
また、上記底面及び上面は、何れも切欠部を備え、所定の棒状体に順向き又は逆向きに対向配置した上記矩形断面それぞれの該切欠部を該棒状体に嵌合させるとともに、該矩形断面相互の該係止爪と該係止穴とを係合させれば、その棒状体に装着することができる。
また、畜光顔料又は着色顔料を含有する合成樹脂により形成されていれば、昼間、又は夜間に目につきやすい。
さらに、上記底面及び上面は、何れも半円形をなし、円の中心に上記切欠部が設けられたものであって、該切欠部から放射状に形成された切れ目を有することにすれば、形成されたロッドが受ける衝撃を緩和することができる。
【考案の効果】
【０００６】
本考案のハーフ・ロッドによれば、矩形断面の対称な位置に、係止爪と係止穴との対を２つ設けてあるので、２個のハーフ・ロッドの矩形断面相互を順向き又は逆向きに対向配置して、相互の係止爪と係止穴とを係合させることにより、フェンスの直線部分、あるいは棒状体に簡便に装着することができる。反面、一旦係合させると、外すのは容易ではないので、子供などによるいたずらが防げる。さらに、着色したものを複数装着し、文字、図形、記号などを表示すれば、注意喚起や広告宣伝効果が得られ、底面及び上面に切れ目を入れれば、車両などが当たったときの衝撃緩和効果も得られる。
【図面の簡単な説明】
【０００７】
【図１】図１は、本実施形態のハーフ・ロッドを、棒状体に逆向きに対向配置した状態を示す斜視図である。
【図２】図２は、本実施形態のハーフロッドの矩形断面を示す図である。
【図３】図３は、対向配置した本実施形態のハーフ・ロッドの矩形断面相互を係合させた状態を示す図である。
【図４】図４は、対向配置した本実施形態のハーフ・ロッドの矩形断面相互を係合させた状態を示す図である。
【図５】図５は、本実施形態のハーフロッドを、フェンスの直線部分に装着した状態を一例として示す図である。
【図６】図６は、本実施形態のハーフロッドを、フェンスの直線部分に装着した状態を一例として示す図である。
【考案を実施するための形態】
【０００８】
図１は、本実施形態のハーフ・ロッドを、棒状体に逆向きに対向配置した状態を示す斜視図であり、図２は、本実施形態のハーフロッドの矩形断面を示す図であり、図３及び図４は、対向配置した本実施形態のハーフ・ロッドの矩形断面相互を係合させた状態を示す図であり、図３は、底面及び上面が半円形のものを係合させた状態、図４は、底面及び上面が長方形のものを係合させた状態を示している。
図1に示すように、本実施形態のハーフロッド１は、棒状体２０を挟んで、２個づつ逆向きに対向配置して使用する。ハーフ・ロッド１は、底面２及び上面３を有する所定長さの中空のロッドを長手方向に分割して形成された矩形断面５を有する。そしてその矩形断面５の２つの長辺６の辺縁に、上下対称に、フック（本考案の係止爪に相当する。）７と、そのフック７にスナップフィットする係止穴８とからなる係合部９が左辺と右辺にそれぞれ備えられている。また、底面２及び上面３は、何れも半円形をなし、円の中心に丸い切欠部１０があり、その切欠部１０から放射状に５本の切れ目１１が設けてある。
ここで、棒状体２０としては、フェンスを構成する部材の、縦、横、又は斜めに設けらた直線部分とすることができる。また、また、本実施形態のハーフ・ロッド１は、半円形の底面２及び上面３を備え、底面２及び上面３それぞれには、丸い切欠部１０を有するが、底面２及び上面３は、必ずしも必要としない。さらに、底面２及び上面３それぞれの切欠部１０から放射状に５本の切れ目１１を設けているが、この切れ目の数は、５本に限定する必要はなく、また切れ目は、必ずしも設ける必要はない。但し、切れ目１１を設けると、棒状体２０にハーフ・ロッド１を容易に固定することができる。また、ハーフ・ロッド１を駐車場などのフェンスに装着すれば、フェンスに車両が当たっても、その衝撃をある程度緩和することができる。
本実施形態のハーフ・ロッド１は、畜光顔料や着色顔料が混合された合成樹脂を、例えば射出成形、圧縮成形などにより製造することができる。また、合成樹脂としては、熱硬化性のフェノール樹脂、ユリア樹脂、メラミン樹脂、エポキシ樹脂、熱可塑性のポリスチレン、ＡＢＳ樹脂、塩化ビニル樹脂、メタクリル樹脂、ポリアミド、ポリカーボネート、ポリブチレンテレフタレートなどを用いることができる。ただし、必ずしも合成樹脂を用いて製造する必要はなく、合成ゴムを用いて製造してもよい。
また、本実施形態のハーフ・ロッド１は、矩形断面５の長辺６の長さが１００ｍｍに、短辺１２の長さが２５ｍｍに、切欠部１０の直径が３ｍｍに設定されているが、サイズや色彩の異なる複数種類のハーフロッド１を組み合わせて使用すれば、様々なフェンスや棒状体に適用することができる。また、畜光顔料を含有させたものを使用すれば、夜間においても注意喚起することができる。
【０００９】
図２に示すように、本実施形態のハーフ・ロッド１の矩形断面５は、２つの長辺６と２つの短辺１２とを有し、一の長辺６の辺縁の上下対称な位置Ａと位置Ｂ、他の長辺の辺縁の上下対称な位置Ｃと位置Ｄそれぞれに、フック７と係止穴８とからなる係合部９が設けられている。すなわち、位置Ａと位置Ｃには、フック７があり、位置Ｂと位置Ｄには、そのフック７にスナップフィットする係止穴８がある。
したがって、本実施形態のハーフ・ロッド１を棒状体２０、あるいはフェンスを構成する部材の直線部分に装着するには、２個のハーフ・ロッド１の矩形断面５相互を逆向きにして対向配置し、一方の矩形断面５の位置Ａと位置Ｃのフック７が他方の矩形断面５の位置Ｂと位置Ｄの係止穴８にスナップフィットし、他方の矩形断面５の位置Ａと位置Ｃのフック７が一方の矩形断面５の位置Ｂと位置Ｄの係止穴８にスナップフィットするようにする。フック７の爪は矩形断面５の長辺６よりも外側にはみ出しているので、矩形断面５の長辺６相互を手で押し曲げることにより係止穴８にパチンと嵌め込むことができる。
ここで、本実施形態のハーフ・ロッド１の矩形断面５は、位置Ａと位置Ｃにフック７を設け、位置Ｂと位置Ｄには、係止穴８を設けているが、位置Ａと位置Ｂにフック７を設け、位置Ｃと位置Ｄに、係止穴８を設けてもよく、さらに位置Ａと位置Ｄにフック７を設け、位置Ｂと位置Ｃには、係止穴８を設けることにしてもよい。ただし、これらの場合には、２個のハーフ・ロッド１の矩形断面５相互は、同じ向きにして対向配置すればよい。
【００１０】
図３に示すように、底面２及び上面３が半円形のハーフ・ロッド１を２個係合させることにより、円筒状のロッドが形成される。また、図４に示すように、底面２及び上面３が長方形のものを２個係合させれば、角柱状のロッドが形成される。何れも、上面２及び底面３には丸い切欠部１０があり、図示しない棒状体、あるいはフェンスを構成する部材の直線部分をその切欠部１０に嵌めこむことにより、円筒状のロッド又は角柱状のロッドを棒状体、あるいはフェンスの直線部分に装着することができる。なお、底面２及び上面３は、必ずしも半円形や長方形である必要はく、任意の形状にすることができる。
【００１１】
図５及び図６は、本実施形態のハーフロッドを、フェンスの直線部分に装着した状態を一例として示す図であり、図５は、複数の縦桟と複数の横桟とにより格子状の網目が形成されたフェンスの例、図６は、複数の右上がり斜桟と複数の左上がり斜桟とにより菱形の網目が形成されたフェンスの例を示している。
図５に示すように、フェンス３０の格子状の網目を形成する直線部分２１には、例えば赤色に着色されたハーフ・ロッド１が２個づつ、複数装着されており、装着されたハーフ・ロッド１により、「ＳＴＯＰ！」という文字が表示されている。
図６に示すように、フェンス３０の菱形の網目を形成する直線部分２１には、例えば黄色に着色されたハーフ・ロッド１が２個づつ、複数装着されており、装着されたハーフ・ロッド１により、「キケン」という文字が表示されている。
ここでは、赤色又は黄色一色で文字表示した例について説明したが、いろいろな色に着色されたハーフ・ロッド１を用いれば、文字のみならず、図形や記号、あるいは模様などを表示することができる。
【符号の説明】
【００１２】
１    ハーフ・ロッド
２    底面
３    上面
５    矩形断面
６    長辺
７    フック
８    係止穴
９    係合部
１０    切欠部
１１    切れ目
１２    短辺
２０    棒状体
２１    直線部分
３０    フェンス
【図１】
0003152846.tif 000003
【図２】
0003152846.tif 000004
【図３】
0003152846.tif 000005
【図４】
0003152846.tif 000006
【図５】
0003152846.tif 000007
【図６】
0003152846.tif 000008